(57)【要約】【課題】イベントを報知するための設定作業を容易にし、イベントを確実にユーザに報知し、スケジュール管理を容易にすることができる携帯電話機及びイベント報知方法の提供。【解決手段】電話帳にイベントを登録するステップと、予め登録されたイベントに対応付けて、イベントの報知期間（カウントダウン期間）やメモ情報を登録するステップと、時計部から取得した現在の日時がカウントダウン期間内であるかを判別するステップと、現在の日時がカウントダウン期間内である場合、カウントダウン期間の間、表示部の待受画面２０上に、イベントを報知するためのアイコン２５を継続して表示すると共に、アイコン２５が選択された場合に、待受画面２０上に、前記電話帳に予め登録されたイベントに関連する情報やメモ情報、イベントまでの残期間などのお知らせ内容２１を表示するステップと、を実行する。【選択図】図３
2007281738.tif 000002
【特許請求の範囲】
【請求項１】
表示部と操作部と時計部と電話帳を記憶する記憶部とを少なくとも有する携帯電話機において、
前記電話帳に予め登録されたイベントに対応付けて、前記イベントの報知期間を登録する登録手段と、
前記時計部から取得した現在の日時が前記報知期間内であるかを判別する判別手段と、
前記現在の日時が前記報知期間内である場合、前記報知期間の間、前記表示部の画面上に、前記イベントを報知するためのアイコンを継続して表示する報知手段と、を少なくとも備えることを特徴とする携帯電話機。
【請求項２】
前記報知手段は、前記アイコンが前記操作部で選択された場合に、前記表示部の前記画面上に、前記電話帳に予め登録された前記イベントに関連する情報を表示することを特徴とする請求項１記載の携帯電話機。
【請求項３】
表示部と操作部と時計部と電話帳を記憶する記憶部とを少なくとも有する携帯電話機において、
前記電話帳に予め登録されたイベントに対応付けて、前記イベントの報知期間を登録する登録手段と、
前記時計部から取得した現在の日時が前記報知期間内であるかを判別する判別手段と、
前記現在の日時が前記報知期間内である場合、前記報知期間の間、前記表示部の画面上に、前記電話帳に予め登録された前記イベントに関連する情報を継続して表示する報知手段と、を少なくとも備えることを特徴とする携帯電話機。
【請求項４】
前記登録手段は、前記イベントに対応付けて、前記操作部で入力されたメモ情報を登録し、
前記報知手段は、前記イベントに関連する情報に加えて、前記メモ情報を表示することを特徴とする請求項２又は３に記載の携帯電話機。
【請求項５】
前記判別手段は、前記時計部から取得した前記現在の日時と前記電話帳から取得した前記イベントの日時とに基づいて、前記イベントまでの残期間を演算し、
前記報知手段は、前記イベントに関連する情報に加えて、前記残期間を表示することを特徴とする請求項２乃至４のいずれか一に記載の携帯電話機。
【請求項６】
前記携帯電話機にスピーカーを備え、
前記報知手段は、前記イベントに関連する情報の表示に際して、少なくとも１回、表示された情報を音声で報知することを特徴とする請求項２乃至５のいずれか一に記載の携帯電話機。
【請求項７】
前記携帯電話機にスピーカーを備え、
前記報知手段は、前記アイコン又は前記イベントに関連する情報の表示に際して、少なくとも１回、前記イベントを報知するための音を鳴動させることを特徴とする請求項１乃至６のいずれか一に記載の携帯電話機。
【請求項８】
表示部と操作部と時計部と電話帳を記憶する記憶部とを少なくとも有する携帯電話機におけるイベント報知方法であって、
前記電話帳にイベントを登録する第１の登録ステップと、
予め登録された前記イベントに対応付けて、前記イベントの報知期間を登録する第２の登録ステップと、
前記時計部から取得した現在の日時が前記報知期間内であるかを判別する判別ステップと、
前記現在の日時が前記報知期間内である場合、前記報知期間の間、前記表示部の画面上に、前記イベントを報知するためのアイコンを継続して表示する報知ステップと、を少なくとも有することを特徴とするイベント報知方法。
【請求項９】
前記報知ステップでは、前記アイコンが前記操作部で選択された場合に、前記表示部の前記画面上に、前記電話帳に予め登録された前記イベントに関連する情報を表示することを特徴とする請求項８記載のイベント報知方法。
【請求項１０】
表示部と操作部と時計部と電話帳を記憶する記憶部とを少なくとも有する携帯電話機におけるイベント報知方法であって、
前記電話帳にイベントを登録する第１の登録ステップと、
予め登録された前記イベントに対応付けて、前記イベントの報知期間を登録する第２の登録ステップと、
前記時計部から取得した現在の日時が前記報知期間内であるかを判別する判別ステップと、
前記現在の日時が前記報知期間内である場合、前記報知期間の間、前記表示部の画面上に、前記電話帳に予め登録された前記イベントに関連する情報を継続して表示する報知ステップと、を少なくとも有することを特徴とするイベント報知方法。
【請求項１１】
前記第２の登録ステップでは、前記電話帳に予め登録されたイベントに対応付けて、前記操作部で入力されたメモ情報を登録し、
前記報知ステップでは、前記イベントに関連する情報に加えて、前記メモ情報を表示することを特徴とする請求項９又は１０に記載のイベント報知方法。
【請求項１２】
前記判別ステップでは、前記時計部から取得した前記現在の日時と前記電話帳から取得した前記イベントの日時とに基づいて、前記イベントまでの残期間を演算し、
前記報知ステップでは、前記イベントに関連する情報に加えて、前記残期間を表示することを特徴とする請求項９乃至１１のいずれか一に記載のイベント報知方法。
【請求項１３】
前記携帯電話機にスピーカーを備え、
前記報知ステップでは、前記イベントに関連する情報の表示に際して、少なくとも１回、表示された情報を音声で報知することを特徴とする請求項９乃至１２のいずれか一に記載のイベント報知方法。
【請求項１４】
前記携帯電話機にスピーカーを備え、
前記報知ステップでは、前記アイコン又は前記イベントに関連する情報の表示に際して、少なくとも１回、前記イベントを報知するための音を鳴動させることを特徴とする請求項８乃至１３のいずれか一に記載のイベント報知方法。
【発明の詳細な説明】
【技術分野】
【０００１】
本発明は、携帯電話機及び報知方法に関し、特に、誕生日や特別な記念日などのイベントのお知らせ機能を備えた携帯電話機及び該携帯電話機を用いたイベント情報の報知方法に関する。
【背景技術】
【０００２】
誕生日や記念日等、大切な日は忘れずにいたいものである。しかしながら、友人や親戚が多い場合などは全員の誕生日を記憶しておくことは困難であり、また、数年は覚えていたとしても年が経過すると共に忘れてしまうことも多々ある。また、記念日や友人の結婚式、その他大事な人との約束なども、つい前日になってから思い出し、あわててしまうこともある。
【０００３】
上記のようなイベントを忘れないようにするために、紙や手帳にメモを書き込んでおく方法があるが、紙などは紛失してしまうケースがあり、また手帳に書き込んだ場合は常に手帳を持ち歩き、かつ頻繁に手帳の内容を確認しなければならず不便である。
【０００４】
一方、近年は携帯電話機の所有率が高く、携帯電話機を手帳代わりにしている人も多く、そのようなユーザのためにスケジュール機能が搭載されている携帯電話機も多い。このスケジュール機能は日時ごとに管理されているもので、ユーザが特定の日時を選び、予定を書いておくと、スケジュール機能は、ユーザが指定した時間に、予め入力された予定を画面上に表示したり、音を鳴動させる。これにより、ユーザは指定した時間になったことに気付くことができる。
【０００５】
このようなスケジュール機能を利用した携帯電話機として、例えば、下記特許文献１には、電話帳データ中の所定の通信相手に関する日時情報を付加する日時登録手段と、この日時登録手段により登録された日時になったときに、該当する通信相手に対する通信を促す表示を行う報知手段とを具備した通信端末装置が開示されている。
【０００６】
【特許文献１】２０００−３４１３９２号公報（第２−５頁、第３図）
【発明の開示】
【発明が解決しようとする課題】
【０００７】
ここで、誕生日や記念日など、プレゼントの購入やレストランの予約などの事前の準備が必要なイベントの場合は、ユーザには早めにイベントを知らせることが重要である。また、事前の準備を忘れてしまわないためにも、当日までは常にイベントを知らせることが重要である。
【０００８】
しかしながら、従来のスケジュール機能の場合、事前に誕生日などのイベントを通知させるためには、誕生日よりも前の日時をお知らせ開始日時として設定しなくてはならず、合わせてお知らせ終了日時（当日）も設定する必要があり、また、「ｘｘの誕生日」とわざわざ相手の名前を書く必要があり、イベントを通知させるための設定に手間がかかるという問題があった。
【０００９】
また、お知らせ開始日時とお知らせ終了日時の間はイベントを通知することが可能となるが、通知（お知らせ表示など）は設定した時刻のみであり、お知らせ表示が消えてしまうと次の日までお知らせ内容を確認することができない。そのため、通知を受けた時は思い出すことができても、数時間が経過すると忘れてしまい、ついプレゼントを買いそびれてしまったり、レストランの予約を忘れてしまうなど事前の準備を怠ってしまうことも考えられる。
【００１０】
また、上記特許文献１の場合は、電話帳データを利用するため相手の名前を登録する手間を省くことができるが、表示部の表示は通信相手に対する通信を促すためであり、電話あるいはメールの送信が完了すると表示が画面から消去されてしまうため、事前の準備が必要なイベントを表示する場合には、やはり事前の準備を怠ってしまうなどの不具合が生じる。
【００１１】
本発明は、上記問題点に鑑みてなされたものであって、その第１の目的は、イベントを報知するための設定作業を容易にすることができる携帯電話機及びイベント報知方法を提供することにある。
【００１２】
また、本発明の第２の目的は、イベントを確実にユーザに報知することができる携帯電話機及びイベント報知方法を提供することにある。
【００１３】
また、本発明の第３の目的は、スケジュール管理を容易にすることができる携帯電話機及びイベント報知方法を提供することにある。
【課題を解決するための手段】
【００１４】
上記目的を達成するため、本発明は、表示部と操作部と時計部と電話帳を記憶する記憶部とを少なくとも有する携帯電話機において、前記電話帳に予め登録されたイベントに対応付けて、前記イベントの報知期間を登録する登録手段と、前記時計部から取得した現在の日時が前記報知期間内であるかを判別する判別手段と、前記現在の日時が前記報知期間内である場合、前記報知期間の間、前記表示部の画面上に、前記イベントを報知するためのアイコンを継続して表示する報知手段と、を少なくとも備えるものであり、前記報知手段は、前記アイコンが前記操作部で選択された場合に、前記表示部の前記画面上に、前記電話帳に予め登録された前記イベントに関連する情報を表示する構成とすることができる。
【００１５】
また、本発明は、表示部と操作部と時計部と電話帳を記憶する記憶部とを少なくとも有する携帯電話機において、前記電話帳に予め登録されたイベントに対応付けて、前記イベントの報知期間を登録する登録手段と、前記時計部から取得した現在の日時が前記報知期間内であるかを判別する判別手段と、前記現在の日時が前記報知期間内である場合、前記報知期間の間、前記表示部の画面上に、前記電話帳に予め登録された前記イベントに関連する情報を継続して表示する報知手段と、を少なくとも備えるものである。
【００１６】
本発明においては、前記登録手段は、前記イベントに対応付けて、前記操作部で入力されたメモ情報を登録し、前記報知手段は、前記イベントに関連する情報に加えて、前記メモ情報を表示する構成とすることができる。
【００１７】
また、本発明においては、前記判別手段は、前記時計部から取得した前記現在の日時と前記電話帳から取得した前記イベントの日時とに基づいて、前記イベントまでの残期間を演算し、前記報知手段は、前記イベントに関連する情報に加えて、前記残期間を表示する構成とすることができる。
【００１８】
また、本発明においては、前記携帯電話機にスピーカーを備え、前記報知手段は、前記イベントに関連する情報の表示に際して、少なくとも１回、表示された情報を音声で報知する構成、又は、前記携帯電話機にスピーカーを備え、前記報知手段は、前記アイコン又は前記イベントに関連する情報の表示に際して、少なくとも１回、前記イベントを報知するための音を鳴動させる構成とすることができる。
【００１９】
また、本発明は、表示部と操作部と時計部と電話帳を記憶する記憶部とを少なくとも有する携帯電話機におけるイベント報知方法であって、前記電話帳にイベントを登録する第１の登録ステップと、予め登録された前記イベントに対応付けて、前記イベントの報知期間を登録する第２の登録ステップと、前記時計部から取得した現在の日時が前記報知期間内であるかを判別する判別ステップと、前記現在の日時が前記報知期間内である場合、前記報知期間の間、前記表示部の画面上に、前記イベントを報知するためのアイコンを継続して表示する報知ステップと、を少なくとも有するものであり、前記報知ステップでは、前記アイコンが前記操作部で選択された場合に、前記表示部の前記画面上に、前記電話帳に予め登録された前記イベントに関連する情報を表示する構成とすることができる。
【００２０】
また、本発明は、表示部と操作部と時計部と電話帳を記憶する記憶部とを少なくとも有する携帯電話機におけるイベント報知方法であって、前記電話帳にイベントを登録する第１の登録ステップと、予め登録された前記イベントに対応付けて、前記イベントの報知期間を登録する第２の登録ステップと、前記時計部から取得した現在の日時が前記報知期間内であるかを判別する判別ステップと、前記現在の日時が前記報知期間内である場合、前記報知期間の間、前記表示部の画面上に、前記電話帳に予め登録された前記イベントに関連する情報を継続して表示する報知ステップと、を少なくとも有するものである。
【００２１】
本発明においては、前記第２の登録ステップでは、前記電話帳に予め登録されたイベントに対応付けて、前記操作部で入力されたメモ情報を登録し、前記報知ステップでは、前記イベントに関連する情報に加えて、前記メモ情報を表示する構成とすることができる。
【００２２】
また、本発明においては、前記判別ステップでは、前記時計部から取得した前記現在の日時と前記電話帳から取得した前記イベントの日時とに基づいて、前記イベントまでの残期間を演算し、前記報知ステップでは、前記イベントに関連する情報に加えて、前記残期間を表示する構成とすることができる。
【００２３】
また、本発明においては、前記携帯電話機にスピーカーを備え、前記報知ステップでは、前記イベントに関連する情報の表示に際して、少なくとも１回、表示された情報を音声で報知する構成、又は、前記携帯電話機にスピーカーを備え、前記報知ステップでは、前記アイコン又は前記イベントに関連する情報の表示に際して、少なくとも１回、前記イベントを報知するための音を鳴動させる構成とすることができる。
【００２４】
このように、本発明では、電話帳管理機能を利用しているため、電話帳に予め登録されたイベントに対応付けて報知期間を登録するだけでよいため、イベントを報知するための設定作業を容易にすることができる。また、報知期間中、待受画面には常にアイコンが表示されるため、イベントを確実にユーザに報知することができる。また、予め電話帳にメモ情報を登録しておくことによってアイコンを選択するとメモ情報が表示されると共に、イベントまでの残期間が表示されるため、スケジュール管理を容易にすることができる。
【発明の効果】
【００２５】
本発明の携帯電話機及びイベント報知方法によれば、下記記載の効果を奏する。
【００２６】
本発明の第１の効果は、イベントを報知するための設定作業を容易にすることができるということである。その理由は、誕生日や特別な記念日などのイベントを電話帳で管理するため、電話帳に所定の相手のイベントが登録されている場合には、報知期間（カウントダウン期間）を電話帳に登録するだけでよく、相手の名前を入力したり、お知らせ開始日時やお知らせ終了日時などを設定する操作を省くことができるからである。
【００２７】
また、本発明の第２の効果は、イベントを確実にユーザに報知することができるということである。その理由は、イベントを忘れないように紙にメモ書きした場合、紙を紛失してしまうこともあり、また、複数の友人の誕生日など全員の日付を正確に覚えておくことは困難であるが、本発明では、イベントを電話帳に登録し、その日が近づくと携帯電話機の画面上にイベントを報知するためのアイコンが表示されるため、ユーザはイベントを容易に思い出すことができるからである。また、イベントを電話帳に登録しておくことにより、特定の相手の誕生日や予定が知りたくなった場合、従来のスケジュール管理よりも容易に検索することができるからである。また、従来のスケジュール機能でのお知らせ通知のように、一度確認すると次の日の通知まで画面上に表示されない場合、通知された時は覚えていても数時間後には忘れてしまっている可能性もあるが、本発明ではイベントを報知するためのアイコンはイベント当日までずっと画面上から消えないため、ユーザは携帯電話機を見るたびに、イベントを思い出すことができるからである。
【００２８】
また、本発明の第３の効果は、スケジュール管理を容易にすることができるということである。その理由は、誕生日や特別な記念日などといったイベントはあらかじめ当日までの準備が必要であり、そのためには、ユーザに早めにイベントを報知することが重要であるが、本発明では、ユーザが電話帳に誕生日や特別な記念日などを登録する際に報知期間を設定することで、イベントよりも前に報知が開始され、例えば誕生日であった場合、早い段階で誕生日であることを思い出し、余裕をもってプレゼントの準備が可能となるからである。また、毎日、イベントまでの残期間をカウントダウンして報知することにより、当日まであと何日であるかを容易に知ることができるからである。
【発明を実施するための最良の形態】
【００２９】
従来技術で示したように、従来のスケジュール機能の場合、事前に相手の名前やお知らせ開始日時、お知らせ終了日時などを設定する必要があり、設定操作に手間がかかるという問題があった。また、お知らせの通知は設定した時刻のみであり、お知らせの通知に対して操作を行うと表示が消えてしまい、お知らせ内容を忘れてしまうという問題もあった。以下、図８を用いて従来のお知らせ通知の動作について説明する。
【００３０】
従来、誕生日や特別な記念日などのイベントをお知らせする手段として「スケジュール機能」がある。スケジュール機能とは、お知らせして欲しい日時と内容を登録しておくことで、その時間になるとユーザにお知らせするものである。お知らせ手段としては、アラーム音の鳴動やお知らせ内容の表示等であり、ユーザがすぐに気が付く方法となっている。
【００３１】
上記スケジュール機能を利用する場合、ユーザはあらかじめスケジュール機能にお知らせ内容を登録する。スケジュール機能は日付ごとに管理される。図８は７月７日が誕生日であることを５日前から毎日お知らせするように登録した場合の動作例である。ここで登録するスケジュール機能の内容は以下のようになる。
【００３２】
・お知らせ開始時刻：７月２日  ＡＭ８：００（当日７月７日の５日前）
・お知らせ終了時刻：７月７日  ＡＭ８：００
・繰り返し設定：毎日
・通知内容：７月７日  ｘｘｘｘの誕生日です。
【００３３】
図８（ａ）は通常の待受画面３０である。お知らせ開始時刻として設定した時間になると、図８（ｂ）のように待受画面３０上にお知らせ内容３１が表示される。スケジュール機能での登録で「アラーム通知音」を設定していた場合、図８（ｂ）のお知らせ内容３１が表示されると同時にアラーム音が鳴動する。このお知らせ内容３１は特定のキーを押下することで図８（ｃ）の待受画面３０に戻ることができる。図８（ｃ）の待受画面３０に戻ると、図８（ｄ）のように次の日になるまでお知らせ内容（誕生日）の通知がないため、ユーザは常に７月７日が誕生日であることを確認できない。そして、次の日の同時刻になると図８（ｅ）のように、待受画面３０上に再度お知らせ内容３１がアラーム音とともに表示される。この通知が誕生日当日まで繰り返される。
【００３４】
このように、従来のスケジュール機能を用いた誕生日の通知の場合、毎日、特定の時間になると誕生日をお知らせしてくれるため、大切な誕生日を忘れることは少なくなるが、待受画面３０上に通知されたお知らせ内容３１は常にそのまま表示されているわけではなく、ユーザは携帯電話機を操作する際に特定のキーを押下することで別の画面を表示させるため、図８（ｂ）や図８（ｅ）のお知らせ画面３１はそのままの状態にしておくことは少ない。従って、例のようにお知らせ時刻をＡＭ８：００に設定した場合、ＡＭ８：００に通知を受けた時点ではユーザは誕生日であることを思い出すことができるが、その日の昼に再度携帯電話機を使用する際には誕生日の通知が画面上に出ていないため、ユーザが誕生日のことをすっかり忘れていた場合、再度思い出す可能性は低いと推測される。
【００３５】
また、スケジュール機能を用いて誕生日や特別な記念日などのイベントの通知を行う場合、スケジュール機能の登録には次のような手間がある。
【００３６】
１．通知を受けたい日を登録（例の場合は５日前の７月２日）
２．通知の終了日を登録（例の場合は７月７日）
３．用件を登録（誕生日や記念日等の場合、相手の名前から入力、また、誕生日の場合はイベント内容が誕生日である旨も記述）
４．その他、アラーム音やアイコン等の通知設定などを行う。
【００３７】
上記手順において、３の用件の登録では、相手の名前や誕生日やイベント日の日付をわざわざユーザが入力する必要があるため、特に手間となる。また、１と２の通知日時についても開始と終了の日時の２つを分けて入力する必要がある。このように従来のスケジュール機能を用いた誕生日や特別な記念日などのイベントの通知方法では、設定操作に手間がかかり、かつ通知内容が特別な時間しか表示されないというユーザフレンドリーではない欠点がある。
【００３８】
そこで、本発明では、携帯電話機の電話帳にユーザがあらかじめ登録した誕生日や特別な記念日などのイベントをお知らせするために、以下のような特徴を有する携帯電話機及びイベント報知方法を提供する。
【００３９】
まず、第一に、電話帳に登録する誕生日やイベント日等は、例えば最大で５つなど、複数可能とする。
【００４０】
第二に、誕生日や記念日などを登録する際に、何日前など、お知らせして欲しい期間（以下、カウントダウン期間と呼ぶ。）をそれぞれ設定する。このカウントダウン期間はそれぞれの誕生日やイベントに対してそれぞれ異なった値を設定できる。
【００４１】
第三に、現在の日時が登録したカウントダウン期間になったと同時に、携帯電話機の画面上にアイコン表示を行う。アイコンの種類はあらかじめ複数用意されており、誕生日、結婚記念日、結婚式等、分かり易いアイコン表示とする。また、アイコンはあらかじめユーザが選択できるものとする。
【００４２】
第四に、上記のアイコンを選択すると、携帯電話機の待受画面上にお知らせ内容が表示され、また、誕生日やイベント当日まで何日であるかをお知らせしてくれる。また、アイコンは当日まで常に待受画面に表示されたままであるため、ユーザは何度でもお知らせ内容を確認できる。
【００４３】
以下、図面を参照して具体的に説明する。
【実施例１】
【００４４】
まず、本発明の第１の実施例に係る携帯電話機及びイベント報知方法について、図１乃至図４を参照して説明する。図１は、本実施例の携帯電話機の構成を模式的に示すブロック図であり、図２乃至図４は、本実施例の携帯電話機の表示部に表示される画面の構成例を示す図である。
【００４５】
図１に示すように、本実施例の携帯電話機は、アンテナ１と、無線部２と、メモリ３と、音声信号処理部４と、スピーカー５と、マイク６と、制御部７と、操作部８と、表示部９と、時計部１０などで構成される。
【００４６】
無線部２はアンテナ１に接続されており、アンテナ１を通じて無線信号の送受信処理を行う。
【００４７】
メモリ３は、ユーザが設定したデータ等を記憶しておく記憶部として機能し、ユーザが登録する電話帳もメモリ３に記憶される。この電話帳は、相手の名前、電話番号、メールアドレス、住所等を対応付けて管理し、簡単な操作でそれぞれの情報を携帯電話機の画面に表示したり、電話発信やメール送信が実行できるようになっている。
【００４８】
音声信号処理部４はスピーカー５及びマイク６に接続しており、無線部２及びアンテナ１、制御部７を介して受信した音声信号をＤ／Ａ変換して、スピーカー５から音声として出力する。また、音声信号処理部４はマイク６から入力された音声をＡ／Ｄ変換し、制御部７、無線部２及びアンテナ１を介して相手先に送信する。
【００４９】
操作部８は、メモの入力やアイコンの選択、メニューの選択等を行うための複数のキーから構成される。
【００５０】
表示部９は、ＬＣＤ（Liquid Crystal Display）や有機ＥＬ（electroluminescence）ディスプレイなどで構成され、待受画面にアイコンやお知らせ内容を表示したり、電話帳登録画面やメモ登録画面、メニュー画面、新規メール作成画面、電話発信画面などを表示する。
【００５１】
時計部１０は、現在の日付や時刻を管理する機能を有している。
【００５２】
制御部７は、無線部２とメモリ３と音声信号処理部４と操作部８と表示部９と時計部１０とに接続されており、制御部７はこれら各部の制御を行う。また、制御部７は、操作部８を監視し、ユーザの操作を検出して操作に基づく処理を行い、表示部９を制御して各種表示を行う。また、制御部７はＣＰＵ１０を含んで構成されている。
【００５３】
ＣＰＵ１０は、操作部８のキー押下を監視し、キー押下を認識すると特定の処理を行い必要な情報を表示部９に表示する。また、ＣＰＵ１０は、登録手段１２と、判別手段１３と、報知手段１４とを有している。
【００５４】
登録手段１２は、ユーザが操作部８を操作して入力した情報（名前や電話番号やメールアドレス等）をメモリ３に備えられている電話帳に対応付けて登録する機能を果たす。また、電話帳には誕生日や記念日などのイベントの日時（イベント日時と呼ぶ。）も一緒に記録でき、何日前から通知するかの期間（カウントダウン期間）やイベントを報知するためのアイコンなどの登録も行なう。また、ユーザから入力された情報を通知メモとして電話帳に対応付けてメモリ３に登録する機能も有する。
【００５５】
判別手段１３は、電話帳に登録された誕生日や記念日などのイベント日時と、カウントダウン期間とを比較して、時計部１０から取得する現在の日時がイベント報知を行なう日時か否か（すなわち、現在の日時がカウントダウン期間内であるか否か）を判別し、さらにイベント日時までの期間（残期間）を求める。
【００５６】
報知手段１４は、イベントを報知する日時になると、表示部９にアイコン表示を行う。電話帳などにアイコンの指定がある場合にはそのアイコンを用いる。なお、報知手段１４が複数のアイコンを表示する場合には、そのアイコンの表示を同じ種別（例えば、誕生日や記念日別や電話帳登録ユーザ別など）にまとめて表示するようにしてもよい。また、報知手段１４は、ユーザが操作部８を用いて、表示部９に表示されたアイコンを操作することで、そのアイコンに対応付けられて電話帳などに登録されている情報（お知らせ内容）を表示する機能を有している。また、表示部９への表示だけでなく、お知らせ内容に対する操作機能をメニューとして提供する。例えば、相手の電話番号やメールアドレスを参照する場合には、その参照した番号やアドレスに対しての電話やメールを行う発信機能を提供し、また、新たにメモを付加する機能（新規メモ作成機能）などを提供する。
【００５７】
以下、実施例の携帯電話機の動作について説明するが、まず、図２を参照して、お知らせを通知するためにユーザが事前に行う電話帳への誕生日やイベントの登録について説明する。
【００５８】
携帯電話機の電話帳は、相手の名前、電話番号、メールアドレス、住所等を管理し、簡単な操作でそれぞれの情報を携帯電話機の画面に表示することができる。本発明では電話帳に誕生日やイベント日などを登録できるものとする。電話帳を登録する場合、図２（ａ）のように、ユーザが解り易いように「名前」、「電話番号」、「メールアドレス」などと項目が分かれた電話帳登録画面１５が表示される。ユーザは各項目を選択してそれぞれを記入すると、登録手段１２は記入した情報を電話帳に対応付けて登録する。なお、本実施例では、「誕生日」、「お知らせ日」を追加できることが前提となっており、誕生日以外のイベントを「お知らせ日」として管理する。
【００５９】
「誕生日」の項目には相手の生年月日を記入する。「お知らせ日」は複数登録できるものとし、ここには「記念日」や「結婚式」、「約束」など、相手との大切なイベントを記入する。お知らせ日の用件はプルダウンメニューで選択し登録する。「誕生日」、「お知らせ日」のそれぞれについて、同時にお知らせ通知設定も行う。お知らせ通知設定とは、「通知メモ」、「カウントダウン期間」、「繰り返し設定」、「アイコン設定」などである。
【００６０】
「通知メモ」は相手の氏名やイベントと共に表示する情報であり、「通知メモ」キーを押下することでメモ登録画面１９が表示され、メモ登録画面１９でお知らせ内容に表示する文章をユーザが任意に記入できる。例えば、「コンサート」である場合、通知メモには「ｘｘのコンサート。場所は○○」といったように記入することでお知らせ通知がきた場合、一目でユーザはイベントの内容がわかるようになる。誕生日の場合は、通知メモにプレゼント候補などを書いてもよい。
【００６１】
「カウントダウン期間」には何日前からお知らせして欲しいかをその内容に合わせて決定する。例えば、誕生日にプレゼントを考えている相手である場合、プレゼントを買う都合上早めに通知してもらいたい。その場合は、カウントダウン期間設定欄１６を「１０日」と設定することで誕生日の１０日前から当日までカウントダウンしてお知らせ内容を表示してくれる。誕生日当日にメールを書きたい相手に対しては、カウントダウン期間設定欄１６を「１日」と設定すれば、前日にお知らせ内容を確認でき、メールを書くのを忘れることが少なくなる。
【００６２】
「繰り返し設定」には毎年繰り返して通知するか否かを選択する。例えば、誕生日や結婚記念日などは毎年同じ日にあるものなので繰り返しありに設定する（繰り返し設定欄１８をチェックする）。この設定をすることで、毎回設定する手間がはぶける。「繰り返し設定」で繰り返しなしにした場合、当日のお知らせ通知が終了すると、電話帳のその項目欄には「終了」を現すマークが付く。これによって、イベント事が多い相手に対しては、お知らせ日の項目はすべて埋まっていた場合でも、必要ないものから消去しやすくなる。
【００６３】
「アイコン設定」では、アイコン設定欄１７から画面上に表示するアイコンを選択する。このアイコンはあらかじめ各種アイコンが用意されているものとし、誕生日や結婚記念日などユーザが一目見て解り易いものとする。また、アイコンはユーザが作成したものでもよいし、写真などの画像ファイルをアイコンとして用いても構わない。
【００６４】
上記イベントの例として、「誕生日」と「結婚式」の登録内容を下記に示す。また、「誕生日」の通知メモの内容を図２（ｂ）のメモ登録画面１９に示し、「結婚式」の通知メモの内容を図２（ｃ）のメモ登録画面１９に示す。
【００６５】
（１）誕生日項目
＜カウントダウン日時＞  ５日
＜繰り返し設定＞  あり
＜アイコン＞  誕生日マーク
＜通知メモ＞  プレゼント候補は花。３日前に宅配の手配をする。
【００６６】
（２）お知らせ日項目
＜カウントダウン日時＞  １０日
＜繰り返し設定＞  なし
＜アイコン＞  寿マーク
＜通知メモ＞  ｘｘの結婚式。会場は○○。美容院の予約を早めにする。
【００６７】
上記のように、お知らせして欲しい内容を記入する際には、相手の名前を記入する必要はない。また、誕生日とそれ以外のお知らせ日を分けることで、誕生日の通知メモにわざわざ「ｘｘの誕生日」と記入する必要もない。よって、従来に比べて誕生日やイベント日の登録にかかる操作の手間を省くことができる。
【００６８】
次に、図３を参照して、本実施例のお知らせ機能の動作例について説明する。ここでは、上記例と同様に誕生日が７月７日であり、５日前から通知を行う場合の動作例である。
【００６９】
図３（ａ）は表示部９上に表示される待受画面２０である。お知らせ用件がない時の状態は常に図３（ａ）の待受画面２０となる。
【００７０】
次に、判別手段１３は時計部１０から取得した現在の日時が誕生日当日の５日前（７月２日）であることを判別すると、図３（ｂ）のように、報知手段１４は待受画面２０上にアイコン２５を表示させる。このアイコン２５はユーザがあらかじめ登録したものであり、ユーザが一目見て分かり易いアイコン表示とする。このようにアイコン２５で表示することによって限られた待受画面２０上のスペースを効果的に利用することができ、複数のアイコン２５を同時に表示することが可能となる。また、アイコン２５の模様によって直感的に特別日の内容が把握できる利点がある。なお、アイコン２５の配置や大きさ、形態は任意であり、図の構成に限定されない。
【００７１】
次に、ユーザは待受画面２０上にアイコン２５があることに気が付くと、図３（ｃ）のようにカーソル２６をアイコン２５に当て、決定キーを押下する。すると、報知手段１４は、図３（ｄ）のようにお知らせ内容２１を待受画面２０上に表示させる。このお知らせ内容２１には、電話帳に登録された相手の氏名や誕生日の日付が記述されると共に、図２のメモ登録画面１９で登録したメモの内容が記述され、更に、現在の日時とイベント日時とに基づいて判別手段１３が演算したイベントまでの残期間が記述される。
【００７２】
お知らせ内容２１は特別に割り当てられたキーを押下することで、待受画面２０に戻る。ここでは図３（ｄ）の待受画面２０上に「ＯＫ」キーが割り付けられており、図３（ｄ）の状態で「ＯＫ」キーを押下することで図３（ｂ）の待受画面２０に戻ることができる。ここで、報知手段１４は、お知らせ内容２１を閉じた後でも待受画面２０には常にアイコン２５を表示するため、ユーザは再度アイコン２５を押下することでお知らせ内容２１を確認することが可能である。
【００７３】
次に、本実施例におけるイベント当日までの残期間を通知するカウントダウン通知について、図４を参照して説明する。図４についても図３と同様に、７月７日の誕生日の通知の例とする。
【００７４】
図４（ａ）は図３と同様に誕生日５日前の７月２日にアイコン２５を押下した場合の表示である。７月２日は当日まで５日あるため、お知らせ内容２１には「あと５日です！」といったように誕生日まであと何日かを表すカウントダウン期間が表示されている。ユーザはこの日初めて誕生日の通知を受け、誕生日であることを思い出す。例示では、日付だけをカウントダウンしているが、時刻までカウントダウンしても構わない。
【００７５】
一日が経過し、７月３日になると、現在の日時とイベント日時とに基づいて判別手段１３がイベントまでの残期間を再度演算し、アイコン２５押下時に、図４（ｂ）のようにお知らせ内容２１には「あと４日です！」と日時がカウントダウンされて表示される。図４（ａ）からの変更内容は「カウントダウン期間」のみである。一日経過すると、誕生日までの日数がカウントダウンするため、カウントダウン期間は「４日」となる。
【００７６】
このように、ユーザはお知らせ開始日から数日が経過した後、誕生日のことを忘れていた場合でも、携帯電話機を見た際にアイコン２５の表示があることで誕生日を思い出すことができる。また、アイコン２５を押下してお知らせ内容２１を確認することで誕生日まであと何日であるかを知ることができる。あと２〜３日しかないとわかり、急いでプレゼントを買いにいくユーザも考えられる。また、買い物中にたまたま携帯電話機を見た時にお知らせアイコン２５に気が付き、買い物ついでにプレゼントを買うことも考えられる。
【００７７】
そして、誕生日当日の７月７日になると、現在の日時とイベント日時とに基づいて判別手段１３がイベントまでの期間を再度演算し、アイコン２５押下時に、図４（ｃ）のようにお知らせ内容２１には「当日です！」といったように今日が誕生日である旨が表示される。ユーザは誕生日当日であることに気が付けば、電話をかけたり、メールをするなど相手に連絡をとることも考えられ、ユーザにとっては大切な日を忘れてしまい、気が付いたら当日が過ぎていたといったことは少なくなる。なお、報知手段１４は、誕生日当日が過ぎると図４（ｄ）のように、アイコン２５を待受画面２０上から消す。
【００７８】
また、同じ日に複数のお知らせがある場合は、待受画面２０上にすべてのアイコン２５を表示する。また、同じアイコン２５や同じお知らせ内容２１、同じ相手である場合は一つのアイコン２５でまとめて表示し、アイコン２５を押下することでお知らせ内容２１をリスト表示してもよい。また、図４では、アイコン２５を選択することでイベントまでの残期間を表示していたが、アイコン２５の近傍に残期間を同時に表示し、誕生日までの日時を待受画面２０から把握できるようにしてもよい。また、残期間の表示だけでなく、例えば、アイコン２５の色を誕生日に近づくにつれて濃くしたり、アイコン２５の大きさを大きくするなど、アイコン２５の形態を変化させてもよい。これにより、ユーザは誕生日がどれくらい近づいているのかをアイコン２５を押下することなく容易に理解することができる。
【００７９】
このように、本実施例の携帯電話機及びイベント報知方法では、電話帳管理機能を利用しているため、電話帳に予め記憶されたイベントに対応付けてカウントダウン期間を登録するだけでよいため、イベントを報知するための設定作業を容易にすることができる。また、報知期間中、待受画面２０には常にアイコン２５が表示されるため、イベントを確実にユーザに報知することができる。また、予め電話帳にお知らせ内容２１を登録しておくことによってアイコン２５を選択するとお知らせ内容２１が表示されると共に、イベントまでの残期間が表示されるため、スケジュール管理を容易にすることができる。
【実施例２】
【００８０】
次に、本発明の第２の実施例に係る携帯電話機及びイベント報知方法について、図５を参照して説明する。図５は、第２の実施例の携帯電話機の表示部に表示される画面の構成例を示す図である。
【００８１】
図５（ａ）は待受画面２０上のお知らせ内容２１であり、お知らせ内容２１が通知されてから、ユーザはそのイベントに対してメモ書きしておきたい事項がでてくる場合がある。例えば、誕生日であった場合、プレゼントに買ったものを毎年忘れないようにメモしておきたいユーザもいる。また、パーティなどのイベントなどの場合は、その日までに必要なものを記入しておきたい。そこで、本実施例ではお知らせ内容２１へのメモ書き機能を提供する。
【００８２】
具体的には、図５（ａ）の待受画面２０上に「メニュー」キーが表示されており、ユーザが「メニュー」キーを選択すると、報知手段１４は、待受画面２０上に図５（ｂ）のようなメニュー画面２２を表示させる。このメニュー画面２２の中から「新規メモ」を選択すると、報知手段１４は、図５（ｃ）のようなメモ登録画面１９を表示させる。新規メモはユーザが任意に好きなことを記入でき、記入した情報は登録手段１２が電話帳に対応付けて保存する。図５（ｄ）は今年の誕生日に購入したものをメモしておく場合の例である。今年はネクタイを購入し誕生日に渡す予定である場合、「ネクタイを購入」のようにユーザが後で見た時に分かりやすいように記入しておく。新規メモは何回でも記入が可能であり、記入した日時情報と共に保存される。
【００８３】
ユーザが記入したメモは後で見ることも可能である。例えば、図５（ｂ）のメニュー画面２２で「メモ一覧」を選択すると、報知手段１４は、今までに作成したメモのリストをすべて表示する。メモは今回の通知以前に記入したものもすべて有効であり、毎年誕生日に購入したプレゼントをメモ書きしておくことで今までに渡したプレゼントリストを事前にいつでも確認することができる。なお、これらのメモはメニュー画面２２だけでなく、電話帳からも参照できるようにしてもよい。
【００８４】
このように、お知らせ内容２１表示時にメニュー画面２２を表示させ、メモを追加できるようにすることにより、更に、スケジュール管理を容易にすることができる。
【実施例３】
【００８５】
次に、本発明の第３の実施例に係る携帯電話機及びイベント報知方法について、図６を参照して説明する。図６は、第３の実施例の携帯電話機の表示部に表示される画面の構成例を示す図である。
【００８６】
本実施例では、お知らせ内容２１の相手に対して、直接メールを送ったり電話をかけるなどの処理をサポートする機能を提供する。
【００８７】
図６（ａ）は図５と同様のお知らせ内容２１の表示画面である。ユーザはお知らせ内容２１を見て相手に誕生日のお祝いメールを送ろうと考えた時、従来であれば、所定のキー操作を経て新規メール作成画面を開くことになる。また、宛先には直接アドレスを書くか、または、電話帳から相手のメールアドレスを選択する必要がある。
【００８８】
しかし、本実施例では、図６（ａ）の待受画面２０で「メニュー」キーを選択すると、報知手段１４は、図６（ｂ）のメニュー画面２２を表示させ、そこで「メール作成」を選択すると、図６（ｃ）の新規メール作成画面２３を直接画面上に表示させる。この新規メール作成画面２３には宛先に既に相手のメールアドレスが記入されているものとする。よって、ユーザはわざわざメール機能を呼び出したり、宛先の選択をするなどといった操作は必要がなくなる。また、本文には既に「誕生日おめでとう」の文章や誕生日みに関する画像などのテンプレートが組み込まれていると、ユーザもメール作成が楽になる。また、ユーザにとっては自分で直接文章を書きたい場合もあるため、テンプレートの有無はあらかじめユーザが選択できるものとする。
【００８９】
また、メール以外でも相手に直接電話をかけたい場合は、図６（ｂ）のメニュー画面２２で「電話番号」を選択すると、報知手段１４は、図６（ｄ）の電話発信画面２４を直接画面上に表示させる。この電話発信画面２４には既に相手の電話番号が表示されており、キー操作一つで相手への発信動作を行うことができ、メール作成の時と同様に、わざわざ電話帳から相手の電話番号を検索する必要がなくなる。
【００９０】
このようにメニューキーで相手への通信手段の操作をサポートすることによって、大切な相手に対する連絡なども手間なく行うことができ、ユーザの利便性を向上させることができる。
【実施例４】
【００９１】
次に、本発明の第４の実施例に係る携帯電話機及びイベント報知方法について、図７を参照して説明する。図７は、第４の実施例の携帯電話機の表示部に表示される画面の構成例を示す図である。
【００９２】
前記した第１の実施例では、お知らせ日時になると図３（ｂ）のようなアイコン２５を画面上に表示する構成としたが、図３（ｂ）の待受画面２０はユーザによってはカレンダーを表示していたり、画像を表示していたりと、画面全体を観賞としている場合もあることから、お知らせ通知を小さなアイコン２５にし、画面上のスペースをあまりとらないようにしている。
【００９３】
しかしながら、ユーザによっては、携帯電話機を見ただけでお知らせ内容２１を確認したい場合もある。特に、画面上を観賞として利用していないユーザにとっては、小さなアイコンである必要はない。そこで、図７では、お知らせ内容２１を直接画面上に表示する機能を提供する。
【００９４】
図７（ａ）は待受画面２０であり、判別手段１３がお知らせ日時を判別すると、報知手段１４はお知らせ内容２１を待受画面２０上に表示させる。ユーザは第１の実施例のようにアイコン２５を選択する必要はないため、お知らせ内容２１をすぐに確認することができる。但し、ユーザが携帯電話機を操作する際には他の画面が表示されるようにすることが好ましい。図７（ｂ）は着信音をユーザが変更する操作を行っている画面であり、図７（ｂ）では報知手段１４はお知らせ内容２１を画面上から消すが、操作が終了し画面を元の待受画面２０に戻すことで、報知手段１４は図７（ｃ）のように再度お知らせ内容２１を表示させる。
【００９５】
このように、お知らせ内容２１を直接、待受画面２０に表示することで、携帯電話機の画面を見ただけですぐのお知らせ内容２１を確認することができ、ユーザの操作は必要なく、お知らせ内容２１の確認を更に容易にすることができる。
【実施例５】
【００９６】
次に、本発明の第５の実施例に係る携帯電話機及びイベント報知方法について説明する。
【００９７】
前記した第１乃至第４の実施例では、お知らせ内容２１を画面に表示するだけであったのに対し、本実施例では音声でお知らせ内容２１を読み上げる機能を提供する。メール本文などを音声で読み上げる機能は既に知られているものであり、ここでは同じ技術を使用してお知らせ内容２１を読み上げるものとする。
【００９８】
具体的には、図３（ｂ）のアイコン２５を選択すると、図３（ｄ）のお知らせ内容２１が表示され、それと同時に報知手段１４は、お知らせ内容２１の本文を少なくとも１回、音声で読み上げる。このように音声で読み上げる機能を追加することで、ユーザが別のことをしながらでもお知らせ内容２１を確認することができる。なお、音声で読み上げる回数やタイミングは特に限定されず、お知らせ内容２１が表示される際に１回、読み上げてもよいし、一定間隔（例えば、１時間毎）で読み上げてもよい。また、お知らせ内容２１の全てを読み上げてもよいし、相手の名前とイベントの名称など、お知らせ内容２１の一部を読み上げてもよい。
【実施例６】
【００９９】
次に、本発明の第６の実施例に係る携帯電話機及びイベント報知方法について説明する。
【０１００】
本実施例では、前記した第１乃至第４の実施例のお知らせ通知に、お知らせ音を追加した機能を提供する。お知らせ音とは、アイコン２５があることをスピーカー５を利用して音で知らせてくれるものである。お知らせ音はあらかじめユーザが好みの音を選択できるものとする。
【０１０１】
近年の携帯電話機は折り畳み式が主流となってきているため、折り畳みの機能を利用してお知らせ音を鳴動させる。折り畳み式携帯電話機が開かれたのをＣＰＵ１０が検出し、かつアイコン２５が画面上にある場合に、少なくとも１回、お知らせ音を鳴動する。このお知らせ音を追加することで、ユーザは携帯電話機を開くと同時にお知らせの有無に気が付くことができる。
【０１０２】
また、当日になるとお知らせ音が鳴動するようにしてもよい。例えばカウントダウン期間を１０日にした場合、１０日間も携帯電話機を開くたびにお知らせ音が鳴動する必要がないと考えるユーザもいる。逆に、当日だけ音で知らせてほしいと思うユーザもいると考えられる。その場合は、お知らせ音の鳴動設定にて「毎日」と「当日のみ」を設定できるようにすればよい。
【０１０３】
なお、上記各実施例では、イベントを報知するためにアイコン２５を表示する場合を示したが、本発明は上記実施例に限定されるものではなく、イベントがあることをユーザに知らせることができればよく、例えば、イベントの名称を待受画面２０上に小さく表示したり、待受画面２０のデザインを変えたり、操作部８を点滅させるようにしてもよい。また、アイコン２５の表示は待受画面２０のみならず、他の画面でも表示されるようにしてもよいし、携帯電話機の背面にも表示部を備える場合に、背面の表示部にも表示してもよい。また、上記各実施例では、お知らせ内容２１で表示する情報として、相手の名前、イベント日時、メモ、イベントまでの残日時を例示したが、少なくとも、イベントに対応付けて電話帳に登録されている情報が表示されればよい。
【産業上の利用可能性】
【０１０４】
本発明は、携帯電話機に限らず、例えば、ＰＨＳ（Personal Handyphone System）やＰＤＡ（Personal Digital Assistants）、固定電話機、パソコンなど、電話帳機能を有する任意の機器に対して適用することができる。
【図面の簡単な説明】
【０１０５】
【図１】本発明の第１の実施例に係る携帯電話機の構成を模式的に示すブロック図である。
【図２】本発明の第１の実施例に係る携帯電話機の電話帳への登録を示す図である。
【図３】本発明の第１の実施例に係る携帯電話機のお知らせ通知を示す図である。
【図４】本発明の第１の実施例に係る携帯電話機のカウントダウン通知を示す図である。
【図５】本発明の第２の実施例に係る携帯電話機のお知らせ通知機能を示す図である。
【図６】本発明の第３の実施例に係る携帯電話機のお知らせ通知機能を示す図である。
【図７】本発明の第４の実施例に係る携帯電話機のお知らせ通知機能を示す図である。
【図８】従来の携帯電話機のスケジュール機能を示す図である。
【符号の説明】
【０１０６】
１  アンテナ
２  無線部
３  メモリ
４  音声信号処理部
５  スピーカー
６  マイク
７  制御部
８  操作部
９  表示部
１０  時計部
１１  ＣＰＵ
１２  登録手段
１３  判別手段
１４  報知手段
１５  電話帳登録画面
１６  カウントダウン期間設定欄
１７  アイコン設定欄
１８  繰り返し設定欄
１９  メモ登録画面
２０  待受画面
２１  お知らせ内容
２２  メニュー画面
２３  新規メール作成画面
２４  電話発信画面
２５  アイコン
２６  カーソル
３０  待受画面
３１  お知らせ内容
【図１】
2007281738.tif 000003
【図２】
2007281738.tif 000004
【図３】
2007281738.tif 000005
【図４】
2007281738.tif 000006
【図５】
2007281738.tif 000007
【図６】
2007281738.tif 000008
【図７】
2007281738.tif 000009
【図８】
2007281738.tif 000010